(57)【特許請求の範囲】
【請求項１】
照明コントローラーと照明制御装置とを備える照明システムであって、
前記照明コントローラーは、第１制御方式に含まれるいずれかの制御方式によって第１交流電圧の波形を制御し、
前記照明制御装置は、
第２交流電圧の波形を制御するスイッチ部と、
前記スイッチ部の動作を制御する制御部と
を含み、
前記制御部は、前記第１交流電圧の波形から前記照明コントローラーの制御方式を判定し、第２制御方式のうちからその判定結果に応じて選択した制御方式によって前記スイッチ部の動作を制御し、
前記第１制御方式は、少なくとも１種類の導通角制御方式と、少なくとも１種類のデータ制御方式とを含み、
前記導通角制御方式は、交流電圧の導通角を制御する制御方式であり、
前記データ制御方式は、交流電圧の少なくとも１つの半波の少なくとも一部を切り欠く制御方式である、照明システム。
【請求項２】
前記第１制御方式は、
前記導通角制御方式として、
交流電圧の半波の前側の導通開始位相を制御する正位相調光方式と、
交流電圧の半波の後側の導通遮断位相を制御する逆位相調光方式と
のうちの少なくとも一方を含み、
前記データ制御方式として、
制御信号設定区間において、交流電圧の少なくとも１つの半波の前側の少なくとも一部を切り欠く第１データ制御方式と、
交流電圧の半波の後側の一部を切り欠くとともに、制御信号設定区間において、少なくとも１つの前記半波の前側の少なくとも一部を切り欠く第２データ制御方式と
のうちの少なくとも一方を含む、請求項１に記載の照明システム。
【請求項３】
前記第１制御方式は、前記データ制御方式として、前記第１データ制御方式と前記第２データ制御方式と第３データ制御方式とのうちの少なくとも１つを含み、
前記第３データ制御方式は、制御信号設定区間において、交流電圧の少なくとも１つの半波を全体的に切り欠く制御方式である、請求項２に記載の照明システム。
【請求項４】
前記制御部は、前記第２制御方式のうちから、前記照明コントローラーの制御方式と同じ制御方式を選択する、請求項１から請求項３のうちのいずれか１項に記載の照明システム。
【請求項５】
前記制御部は、前記第１制御方式が前記第２データ制御方式であると判定すると、前記第２制御方式のうちから前記第１データ制御方式を選択する、請求項２又は請求項３に記載の照明システム。
【請求項６】
前記制御部は、前記第１制御方式が前記正位相調光方式であると判定すると、前記第２制御方式のうちから前記逆位相調光方式を選択する、請求項２又は請求項３に記載の照明システム。
【請求項７】
前記制御部は、前記第１交流電圧の波形が正弦波を含む場合、前記第１制御方式が前記第１データ制御方式であると判定する、請求項２又は請求項３に記載の照明システム。
【請求項８】
前記制御部は、前記第１交流電圧の半波が前側に切り欠きを含む場合、前記第１制御方式が前記正位相調光方式であると判定する、請求項７に記載の照明システム。
【請求項９】
前記制御部は、前記第１交流電圧の半波が後側に切り欠きを含み、かつ、その半波の導通角が所定値よりも小さい場合、前記第１制御方式が前記逆位相調光方式であると判定する、請求項２又は請求項３に記載の照明システム。
【請求項１０】
前記制御部は、前記第１交流電圧の少なくとも１つの半波が前側及び後側に切り欠きを含む場合、前記第１制御方式が前記第２データ制御方式であると判定する、請求項２又は請求項３に記載の照明システム。
【請求項１１】
前記制御部は、前記第１交流電圧が、所定の期間、閾値以下の電圧値を示す場合、前記第１制御方式が前記第３データ制御方式であると判定する、請求項３に記載の照明システム。
【請求項１２】
第１制御方式に含まれるいずれかの制御方式によって第１交流電圧の波形を制御する照明コントローラーに接続される照明制御装置であって、
第２交流電圧の波形を制御するスイッチ部と、
前記スイッチ部の動作を制御する制御部と
を備え、
前記制御部は、前記第１交流電圧の波形から前記照明コントローラーの制御方式を判定し、第２制御方式のうちからその判定結果に応じて選択した制御方式によって前記スイッチ部の動作を制御し、
前記第１制御方式は、少なくとも１種類の導通角制御方式と、少なくとも１種類のデータ制御方式とを含み、
前記導通角制御方式は、交流電圧の導通角を制御する制御方式であり、
前記データ制御方式は、交流電圧の少なくとも１つの半波の少なくとも一部を切り欠く制御方式である、照明制御装置。
【請求項１３】
照明コントローラーによって制御された後の交流電圧の波形が正弦波を含むか否かを判定するステップと、
前記交流電圧の波形が正弦波を含む場合、前記照明コントローラーの制御方式が第１データ制御方式であると判定するステップと、
前記交流電圧の半波が前側に切り欠きを含むか否かを判定するステップと、
前記交流電圧の半波が前側に切り欠きを含む場合、前記照明コントローラーの制御方式が、前記交流電圧の半波の前側の導通開始位相を制御する正位相調光方式であると判定するステップと、
前記交流電圧の半波が後側に切り欠きを含み、かつ、その半波の導通角が所定値よりも小さいか否かを判定するステップと、
前記交流電圧の半波が後側に切り欠きを含み、かつ、その半波の導通角が所定値よりも小さい場合、前記照明コントローラーの制御方式が、前記交流電圧の半波の後側の導通遮断位相を制御する逆位相調光方式であると判定するステップと、
前記交流電圧の少なくとも１つの半波が前側及び後側に切り欠きを含むか否かを判定するステップと、
前記交流電圧の少なくとも１つの半波が前側及び後側に切り欠きを含む場合、前記照明コントローラーの制御方式が第２データ制御方式であると判定するステップと
を包含し、
前記第１データ制御方式は、制御信号設定区間において、交流電圧の少なくとも１つの半波の前側の少なくとも一部を切り欠く制御方式であり、
前記第２データ制御方式は、交流電圧の半波の後側の一部を切り欠くとともに、制御信号設定区間において、少なくとも１つの前記半波の前側の少なくとも一部を切り欠く制御方式である、判定方法。
【発明の詳細な説明】
【技術分野】
【０００１】
本発明は、照明システム、照明制御装置、及び判定方法に関する。
【背景技術】
【０００２】
近年、照明用光源として、白熱電球や蛍光灯に代わり、ＬＥＤ（Ｌｉｇｈｔ  Ｅｍｉｔｔｉｎｇ  Ｄｉｏｄｅ）が普及してきている。ＬＥＤ照明器具の制御方式には、例えば、導通角制御方式がある。導通角制御方式には、正位相調光方式と逆位相調光方式とがある。
【０００３】
正位相調光方式は、交流電圧の各半波の導通が開始する導通開始位相を制御する制御方式である。逆位相調光方式は、交流電圧の各半波の導通が遮断される導通遮断位相を制御する制御方式である。導通角制御方式の調光器（照明コントローラー）は、ユーザーの操作に応じて、交流電圧の導通角を制御する。
【０００４】
一般的に、正位相調光方式の調光器には、正位相調光用の電源回路を備える照明器具が接続される。同様に、逆位相調光方式の調光器には、逆位相調光用の電源回路を備える照明器具が接続される。一方、正位相調光方式の調光器と逆位相調光方式の調光器とに接続可能な照明器具が提案されている。例えば、特許文献１に記載の照明器具は、正位相調光方式と逆位相調光方式とを判別する電源回路を備える。
【０００５】
ところで、ＬＥＤ照明器具の制御方式には、導通角制御方式以外にも、データ制御方式がある。例えば、特許文献２に記載の照明コントローラーは、制御信号設定区間において、交流電圧の少なくとも１つの半波の少なくとも一部を切り欠く。また、特許文献２に記載の照明器具は、制御信号設定区間の切り欠きのパターンに応じて、照明素子に供給する電力を制御する。具体的には、切り欠きを含む半波に応じて値「１」を記憶し、切り欠きを含まない半波に応じて値「０」を記憶して、データ列（ビット列）を生成する。そして、生成したデータ列に応じて、照明素子に供給する電力を制御する。
【先行技術文献】
【特許文献】
【０００６】
【特許文献１】特開２０１４−１８２６６０号公報
【特許文献２】特開２０１５−２１１０１４号公報
【発明の概要】
【発明が解決しようとする課題】
【０００７】
本発明の目的は、照明コントローラーの制御方式が導通角制御方式であるかデータ制御方式であるかを判定できる照明システム、照明制御装置、及び判定方法を提供することにある。
【課題を解決するための手段】
【０００８】
本願に開示する照明システムは、照明コントローラーと照明制御装置とを備える。前記照明コントローラーは、第１制御方式に含まれるいずれかの制御方式によって第１交流電圧の波形を制御する。前記照明制御装置は、スイッチ部と制御部とを含む。前記スイッチ部は、第２交流電圧の波形を制御する。前記制御部は、前記第１交流電圧の波形から前記照明コントローラーの制御方式を判定し、第２制御方式のうちからその判定結果に応じて選択した制御方式によって前記スイッチ部の動作を制御する。前記第１制御方式は、少なくとも１種類の導通角制御方式と、少なくとも１種類のデータ制御方式とを含む。前記導通角制御方式は、交流電圧の導通角を制御する制御方式である。前記データ制御方式は、交流電圧の少なくとも１つの半波の少なくとも一部を切り欠く制御方式である。
【０００９】
本願に開示する照明システムにおいて、前記第１制御方式は、前記導通角制御方式として、正位相調光方式と逆位相調光方式とのうちの少なくとも一方を含み得る。また、前記第１制御方式は、前記データ制御方式として、第１データ制御方式と第２データ制御方式とのうちの少なくとも一方を含み得る。前記正位相調光方式は、交流電圧の半波の前側の導通開始位相を制御する制御方式である。前記逆位相調光方式は、交流電圧の半波の後側の導通遮断位相を制御する制御方式である。前記第１データ制御方式は、制御信号設定区間において、交流電圧の少なくとも１つの半波の前側の少なくとも一部を切り欠く制御方式である。前記第２データ制御方式は、交流電圧の半波の後側の一部を切り欠くとともに、制御信号設定区間において、少なくとも１つの前記半波の前側の少なくとも一部を切り欠く制御方式である。
【００１０】
本願に開示する照明システムにおいて、前記第１制御方式は、前記データ制御方式として、前記第１データ制御方式と前記第２データ制御方式と第３データ制御方式とのうちの少なくとも１つを含み得る。前記第３データ制御方式は、制御信号設定区間において、交流電圧の少なくとも１つの半波を全体的に切り欠く制御方式である。
【００１１】
本願に開示する照明システムにおいて、前記制御部は、前記第２制御方式のうちから、前記照明コントローラーの制御方式と同じ制御方式を選択してもよい。
【００１２】
本願に開示する照明システムにおいて、前記制御部は、前記第１制御方式が前記第２データ制御方式であると判定すると、前記第２制御方式のうちから前記第１データ制御方式を選択してもよい。
【００１３】
本願に開示する照明システムにおいて、前記制御部は、前記第１制御方式が前記正位相調光方式であると判定すると、前記第２制御方式のうちから前記逆位相調光方式を選択してもよい。
【００１４】
本願に開示する照明システムにおいて、前記制御部は、前記第１交流電圧の波形が正弦波を含む場合、前記第１制御方式が前記第１データ制御方式であると判定してもよい。
【００１５】
本願に開示する照明システムにおいて、前記制御部は、前記第１交流電圧の半波が前側に切り欠きを含む場合、前記第１制御方式が前記正位相調光方式であると判定してもよい。
【００１６】
本願に開示する照明システムにおいて、前記制御部は、前記第１交流電圧の半波が後側に切り欠きを含み、かつ、その半波の導通角が所定値よりも小さい場合、前記第１制御方式が前記逆位相調光方式であると判定してもよい。
【００１７】
本願に開示する照明システムにおいて、前記制御部は、前記第１交流電圧の少なくとも１つの半波が前側及び後側に切り欠きを含む場合、前記第１制御方式が前記第２データ制御方式であると判定してもよい。
【００１８】
本願に開示する照明システムにおいて、前記制御部は、前記第１交流電圧が、所定の期間、閾値以下の電圧値を示す場合、前記第１制御方式が前記第３データ制御方式であると判定してもよい。
【００１９】
本願に開示する照明制御装置は、照明コントローラーに接続される。前記照明コントローラーは、第１制御方式に含まれるいずれかの制御方式によって第１交流電圧の波形を制御する。前記照明制御装置は、スイッチ部と制御部とを備える。前記スイッチ部は、第２交流電圧の波形を制御する。前記制御部は、前記第１交流電圧の波形から前記照明コントローラーの制御方式を判定し、第２制御方式のうちからその判定結果に応じて選択した制御方式によって前記スイッチ部の動作を制御する。前記第１制御方式は、少なくとも１種類の導通角制御方式と、少なくとも１種類のデータ制御方式とを含む。前記導通角制御方式は、交流電圧の導通角を制御する制御方式である。前記データ制御方式は、交流電圧の少なくとも１つの半波の少なくとも一部を切り欠く制御方式である。
【００２０】
本願に開示する判定方法は、以下のステップを包含する。照明コントローラーによって制御された後の交流電圧の波形が正弦波を含むか否かを判定するステップ。前記交流電圧の波形が正弦波を含む場合、前記照明コントローラーの制御方式が第１データ制御方式であると判定するステップ。前記交流電圧の半波が前側に切り欠きを含むか否かを判定するステップ。前記交流電圧の半波が前側に切り欠きを含む場合、前記照明コントローラーの制御方式が、前記交流電圧の半波の前側の導通開始位相を制御する正位相調光方式であると判定するステップ。前記交流電圧の半波が後側に切り欠きを含み、かつ、その半波の導通角が所定値よりも小さいか否かを判定するステップ。前記交流電圧の半波が後側に切り欠きを含み、かつ、その半波の導通角が所定値よりも小さい場合、前記照明コントローラーの制御方式が、前記交流電圧の半波の後側の導通遮断位相を制御する逆位相調光方式であると判定するステップ。前記交流電圧の少なくとも１つの半波が前側及び後側に切り欠きを含むか否かを判定するステップ。前記交流電圧の少なくとも１つの半波が前側及び後側に切り欠きを含む場合、前記照明コントローラーの制御方式が第２データ制御方式であると判定するステップ。前記第１データ制御方式は、制御信号設定区間において、交流電圧の少なくとも１つの半波の前側の少なくとも一部を切り欠く制御方式である。前記第２データ制御方式は、交流電圧の半波の後側の一部を切り欠くとともに、制御信号設定区間において、少なくとも１つの前記半波の前側の少なくとも一部を切り欠く制御方式である。
【発明の効果】
【００２１】
本発明によれば、照明コントローラーの制御方式が導通角制御方式であるかデータ制御方式であるかを判定することができる。
【図面の簡単な説明】
【００２２】
【図１】実施形態１に係る照明システムを示すブロック図である。
【図２】（ａ）は、実施形態１に係る照明コントローラー及び照明制御装置へ交流電源から供給される交流電圧を示す図である。（ｂ）は、実施形態１に係る第１データ制御方式の照明コントローラーから出力される交流電圧を示す図である。（ｃ）は、実施形態１に係る正位相調光方式の照明コントローラーから出力される交流電圧を示す図である。（ｄ）は、実施形態１に係る逆位相調光方式の照明コントローラーから出力される交流電圧を示す図である。（ｅ）は、実施形態１に係る第２データ制御方式の照明コントローラーから出力される交流電圧を示す図である。
【図３】実施形態１に係る判定処理のフローを示す図である。
【図４】実施形態１に係る照明制御装置の構成を示すブロック図である。
【図５】（ａ）は、実施形態１に係る照明制御装置が備える整流回路の出力の一例を示す図である。（ｂ）は、実施形態１に係る照明制御装置が備える比較回路の出力の一例を示す図である。
【図６】（ａ）は、実施形態１に係る照明制御装置が備える整流回路の出力の一例を示す図である。（ｂ）は、実施形態１に係る照明制御装置が備える比較回路の出力の一例を示す図である。
【図７】（ａ）は、図６（ａ）の一部を拡大して示す図である。（ｂ）は、図６（ｂ）の一部を拡大して示す図である。（ｃ）は、実施形態１に係る判定用パルス信号を示す図である。
【図８】（ａ）は、実施形態１に係る照明制御装置が備える整流回路の出力の一例を示す図である。（ｂ）は、実施形態１に係る照明制御装置が備える比較回路の出力の一例を示す図である。
【図９】（ａ）は、実施形態１に係る照明制御装置が備える整流回路の出力の一例を示す図である。（ｂ）は、実施形態１に係る照明制御装置が備える比較回路の出力の一例を示す図である。
【図１０】（ａ）は、図９（ａ）の一部を拡大して示す図である。（ｂ）は、図９（ｂ）の一部を拡大して示す図である。（ｃ）は、実施形態１に係る判定用パルス信号を示す図である。
【図１１】実施形態１に係る照明制御装置が備えるスイッチ部の構成を示す図である。
【図１２】実施形態２に係る判定処理のフローを示す図である。
【図１３】実施形態３に係る判定処理のフローを示す図である。
【図１４】（ａ）は、実施形態４に係る照明コントローラー及び照明制御装置へ交流電源から供給される交流電圧を示す図である。（ｂ）は、実施形態４に係る第３データ制御方式の照明コントローラーから出力される交流電圧を示す図である。
【図１５】実施形態４に係る判定処理のフローを示す図である。
【図１６】実施形態４に係る照明制御装置の構成を示すブロック図である。
【図１７】（ａ）は、実施形態４に係る照明制御装置が備える整流回路の出力の一例を示す図である。（ｂ）は、実施形態４に係る照明制御装置が備える比較回路の出力の一例を示す図である。
【図１８】（ａ）は、実施形態４に係る照明コントローラーから照明器具へ出力される交流電圧の一例を示す図である。（ｂ）は、実施形態４に係る照明器具が備える整流回路の出力の一例を示す図である。（ｃ）は、実施形態４に係る照明器具が備えるパルス信号生成部の出力の一例を示す図である。（ｄ）は、システムクロックを示す図である。
【発明を実施するための形態】
【００２３】
以下、図面を参照して本発明の実施形態を説明する。ただし、本発明は以下の実施形態に限定されない。図中、同一又は相当部分については同一の参照符号を付して説明を繰り返さない。
【００２４】
（実施形態１）
図１は、実施形態１に係る照明システム１を示すブロック図である。図１に示すように、照明システム１は、照明コントローラー１００と、照明制御装置２００と、照明器具３００ａ、３００ｂとを備える。
【００２５】
照明コントローラー１００は、ユーザーの操作に応じて、交流電源４００から供給される交流電圧の波形を制御する。具体的には、照明コントローラー１００は、入力部と、少なくとも１つのスイッチ素子とを備える。入力部はユーザーインターフェイスであり、ユーザーの操作（指令）を受け付ける。照明コントローラー１００は、ユーザーによる入力部の操作に応じてスイッチ素子を動作させて、交流電源４００から供給される交流電圧の導通を制御する。この結果、交流電圧の波形が制御される。
【００２６】
入力部は、例えば、少なくとも１つのダイヤル又はつまみ（ボリューム）を含む。あるいは、入力部は、複数個の押しボタン、又はタッチパネルを含み得る。スイッチ素子は、例えば半導体スイッチ素子である。具体的には、スイッチ素子は、トライアックであり得る。あるいは、スイッチ素子は、ＭＯＳＦＥＴ又はバイポーラトランジスタであり得る。
【００２７】
また、照明コントローラー１００は、スイッチ素子の動作を制御するために、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）のようなプロセッサーを備え得る。プロセッサーを備える場合、照明コントローラー１００は更に、半導体メモリーのような記憶装置を備える。あるいは、照明コントローラー１００は、マイクロコンピューターを備えてもよい。
【００２８】
照明コントローラー１００の制御方式は、正位相調光方式、逆位相調光方式、第１データ制御方式、又は第２データ制御方式である。正位相調光方式及び逆位相調光方式は、導通角制御方式である。導通角制御方式は、交流電圧の導通角を制御して、照明素子（例えば、ＬＥＤ又は有機ＥＬ素子）の光量を制御する制御方式である。なお、導通角制御方式は、２線式の照明コントローラー１００に採用される。
【００２９】
正位相調光方式は、交流電圧の各半波の導通が開始する導通開始位相を制御する制御方式である。正位相調光方式では、ユーザーが照明コントローラー１００を操作することによって、各半波の前側において、導通開始位相が制御される。半波の前側は、半波が開始するゼロクロス点から半波の絶対値が最大となるまでの部分である。したがって、正位相調光方式では、各半波は前側に切り欠きを含む。以下、半波の前側の切り欠きを「前欠け」と記載する場合がある。
【００３０】
逆位相調光方式は、交流電圧の各半波の導通が遮断される導通遮断位相を制御する制御方式である。逆位相調光方式では、ユーザーが照明コントローラー１００を操作することによって、各半波の後側において、導通遮断位相が制御される。半波の後側は、半波の絶対値が最大となってから半波が終了するゼロクロス点までの部分である。したがって、逆位相調光方式では、各半波は後側に切り欠きを含む。以下、半波の後側の切り欠きを「後ろ欠け」と記載する場合がある。
【００３１】
第１データ制御方式は、制御信号設定区間において、交流電圧の少なくとも１つの半波の前側の一部を切り欠く制御方式である。つまり、制御信号設定区間内の少なくとも１つの半波は、前欠けを含む。但し、正位相調光方式と異なり、ユーザーは、前欠けを含む半波の導通開始位相を制御できない。制御信号設定区間は、半波の数によって予め規定される。したがって、制御信号設定区間には所定数の半波が含まれる。なお、第１データ制御方式は、特開２０１５−２１１０１４号公報（上記の特許文献２）に記載されている。
【００３２】
第２データ制御方式は、交流電圧の各半波の後側の一部を切り欠くとともに、制御信号設定区間において、交流電圧の少なくとも１つの半波の前側の一部を切り欠く制御方式である。したがって、制御信号設定区間において、少なくとも１つの半波は、前欠けと後ろ欠けとを含む。なお、第２データ制御方式では、逆位相調光方式と異なり、ユーザーは導通遮断位相を制御できない。また、第１データ制御方式と同様に、ユーザーは、前欠けを含む半波の導通開始位相を制御できない。
【００３３】
データ制御方式（第１データ制御方式及び第２データ制御方式）では、制御信号設定区間の交流電圧の波形が、ユーザーの指令に対応するデータ列（ビット列）を伝送する。詳しくは、ユーザーの操作（指令）に応じた前欠けのパターンが設定される。そして、制御信号設定区間の交流電圧の波形が、設定された前欠けのパターンを含む波形となる。具体的には、設定された前欠けのパターンに応じて、制御信号設定区間の少なくとも１つの半波が前欠けを含む半波となる。例えば、前欠けを含む半波は、値「１」のデータを示し、前欠けを含まない半波は値「０」のデータを示す。
【００３４】
データ制御方式によれば、互いに光色が異なる照明素子の光量を個別に制御して、調光調色を行うことができる。なお、第１データ制御方式は、３線式又は４線式の照明コントローラー１００に採用される。第２データ制御方式は、２線式の照明コントローラー１００に採用される。第２データ制御方式の照明コントローラー１００（２線式の照明コントローラー１００）は、交流電圧の各半波の後側を切り欠くことにより、照明コントローラー１００の動作に必要な電力を生成する。
【００３５】
照明コントローラー１００によって波形が制御された交流電圧（照明コントローラー１００の出力）は、照明器具３００ａに入力される。照明器具３００ａが、照明コントローラー１００の制御方式に対応する電源回路を備える場合、ユーザーは、照明コントローラー１００を用いて、照明器具３００ａから出射される光を制御することができる。なお、２つの照明器具３００ａが照明コントローラー１００に接続された構成を例示しているが、照明器具３００ａの数は１つでもよいし、３つ以上でもよい。
【００３６】
照明コントローラー１００によって波形が制御された交流電圧は、照明制御装置２００にも入力される。照明制御装置２００は、照明コントローラー１００から出力された交流電圧の波形から、照明コントローラー１００の制御方式を判定する。また、照明制御装置２００は、判定の結果に応じて選択した制御方式により、交流電源４００から供給される交流電圧の波形を制御する。
【００３７】
例えば、照明制御装置２００は、照明コントローラー１００の制御方式と同じ制御方式によって交流電圧の波形を制御する。あるいは、照明制御装置２００は、照明コントローラー１００の制御方式が第２データ制御方式である場合、第１データ制御方式によって交流電圧の波形を制御してもよい。また、照明制御装置２００は、照明コントローラー１００の制御方式が正位相調光方式である場合、逆位相調光方式によって交流電圧の波形を制御してもよい。
【００３８】
照明制御装置２００によって波形が制御された交流電圧（照明制御装置２００の出力）は、照明器具３００ｂに入力される。照明器具３００ｂが、照明制御装置２００において選択された制御方式に対応する電源回路を備える場合、ユーザーは、照明コントローラー１００を用いて、照明器具３００ｂから出射される光を制御することができる。なお、２つの照明器具３００ｂが照明制御装置２００に接続された構成を例示しているが、照明器具３００ｂの数は１つでもよいし、３つ以上でもよい。
【００３９】
照明器具３００ａ、３００ｂは、電源回路と照明素子とを備える。電源回路は、例えば、整流回路と、平滑回路と、定電流回路と、パルス信号生成部と、制御部とを含む。整流回路は、照明コントローラー１００又は照明制御装置２００から出力された交流電圧を整流する。平滑回路は、整流回路の出力を平滑化する。定電流回路は、平滑回路の出力から定電流を生成する。定電流は照明素子に供給される。パルス信号生成部は、整流回路の出力からパルス信号を生成する。パルス信号は、制御部に入力される。
【００４０】
導通角制御方式の照明器具３００ａ、３００ｂが備える制御部は、例えば、正位相調光方式又は逆位相調光方式に対応する定電流制御用ＩＣ（マイクロコンピューター）を含む。導通角制御方式では、パルス信号生成部から出力されるパルス信号の各パルスは、照明コントローラー１００又は照明制御装置２００から出力される交流電圧の各半波の導通角に対応するパルス幅を有する。
【００４１】
導通角制御方式の照明器具３００ａ、３００ｂが備える制御部は、パルス信号生成部から出力される各パルスのパルス幅（交流電圧の各半波の導通角）に応じてデューティー比が変化する制御信号を生成する。換言すると、交流電圧の導通開始位相又は導通遮断位相の変化に応じて、制御信号のデューティー比が変化する。制御信号のデューティー比に応じて、定電流回路から照明素子へ供給される電流の電流値が変化する。これにより、照明素子から出射される光の光量が変化する。
【００４２】
データ制御方式の照明器具３００ａ、３００ｂが備える制御部は、例えば、第１データ制御用のプログラム又は第２データ制御用のプログラムを記憶するマイクロコンピューターを備える。第１データ制御方式及び第２データ制御方式では、パルス信号生成部から出力されるパルス信号の各パルスは、前欠けの有無（前欠けを含む半波の有無）を示す。詳しくは、各パルスのパルス幅が、前欠けの有無を示す。
【００４３】
データ制御方式の照明器具３００ａ、３００ｂが備える制御部は、パルス信号生成部から出力される各パルスのパルス幅に対応するデータ列（ビット列）を生成する。データ列は、設定された前欠けのパターンに対応する。制御部は、生成したデータ列に応じて定電流回路を動作させて、照明素子に供給する電力を制御する。
【００４４】
図２（ａ）は、照明コントローラー１００及び照明制御装置２００へ交流電源４００から供給される交流電圧４０１を示す図である。図２（ａ）に示すように、交流電圧４０１は正弦波状の波形を有する。即ち、交流電圧４０１は、正弦波状の半波４０２から構成される。また、交流電圧４０１は、ゼロクロス点４０３を含む。交流電源４００が商用電源である場合、交流電圧４０１の周波数は５０Ｈｚ又は６０Ｈｚである。
【００４５】
図２（ｂ）は、第１データ制御方式の照明コントローラー１００から出力される交流電圧４０１ａを示す図である。詳しくは、図２（ｂ）は、照明コントローラー１００に電源が投入された直後の交流電圧４０１ａの波形を示す。
【００４６】
図２（ｂ）に示すように、照明コントローラー１００は、電源が投入されると、まず、正弦波状の半波４０２を出力する。そして、所定の周期以後に、前欠け４１１を含む半波４０２を出力する。即ち、所定の周期後に、制御信号設定区間が開始される。第１データ制御方式では、前欠け４１１を含む半波４０２の導通開始位相４１１ａは一定である。
【００４７】
図２（ｃ）は、正位相調光方式の照明コントローラー１００から出力される交流電圧４０１ａを示す図である。詳しくは、図２（ｃ）は、照明コントローラー１００に電源が投入された直後の交流電圧４０１ａの波形を示す。
【００４８】
図２（ｃ）に示すように、照明コントローラー１００は、電源が投入されると、前欠け４１１を含む半波４０２を出力する。また、照明コントローラー１００は、電源が投入されると、所謂スロースタートを実行する。具体的には、照明コントローラー１００に電源が投入された直後は、導通開始位相４１１ａは、半波４０２が開始するゼロクロス点４０３から離れた特定の位相に設定される。その後、半波４０２ごとに、半波４０２が開始するゼロクロス点４０３に導通開始位相４１１ａが徐々に近づく。そして、所定の周期後に、導通開始位相４１１ａは一定に設定される。この結果、照明コントローラー１００に電源が投入されると、照明器具３００ａ、３００ｂは、まず低輝度で点灯し、その後、照明器具３００ａ、３００ｂの輝度が徐々に高くなる。
【００４９】
図２（ｄ）は、逆位相調光方式の照明コントローラー１００から出力される交流電圧４０１ａを示す図である。詳しくは、図２（ｄ）は、照明コントローラー１００に電源が投入された直後の交流電圧４０１ａの波形を示す。
【００５０】
図２（ｄ）に示すように、照明コントローラー１００は、電源が投入されると、後ろ欠け４１２を含む半波４０２を出力する。また、照明コントローラー１００は、電源が投入されると、所謂スロースタートを実行する。具体的には、照明コントローラー１００に電源が投入された直後は、導通遮断位相４１２ａは、半波４０２が終了するゼロクロス点４０３から離れた特定の位相に設定される。その後、半波４０２ごとに、半波４０２が終了するゼロクロス点４０３に導通遮断位相４１２ａが徐々に近づく。そして、所定の周期後に、導通遮断位相４１２ａは一定に設定される。この結果、照明コントローラー１００に電源が投入されると、照明器具３００ａ、３００ｂは、まず低輝度で点灯し、その後、照明器具３００ａ、３００ｂの輝度が徐々に高くなる。
【００５１】
図２（ｅ）は、第２データ制御方式の照明コントローラー１００から出力される交流電圧４０１ａを示す図である。詳しくは、図２（ｅ）は、照明コントローラー１００に電源が投入された直後の交流電圧４０１ａの波形を示す。
【００５２】
図２（ｅ）に示すように、照明コントローラー１００は、電源が投入されると、後ろ欠け４１２を含む半波４０２を出力する。そして、所定の周期以後に、前欠け４１１及び後ろ欠け４１２を含む半波４０２を出力する。即ち、所定の周期後に、制御信号設定区間が開始される。照明コントローラー１００（２線式の照明コントローラー１００）は、交流電圧４０１の各半波４０２の後側を切り欠くことにより、照明コントローラー１００の動作に必要な電力を生成する。なお、第２データ制御方式では、導通遮断位相４１２ａは一定である。また、前欠け４１１を含む半波４０２の導通開始位相４１１ａは一定である。第２データ制御方式では、例えば、前欠け４１１及び後ろ欠け４１２を含む半波４０２は、値「１」のデータを示し、後ろ欠け４１２のみを含む半波４０２は値「０」のデータを示す。
【００５３】
続いて図１〜３を参照して、照明コントローラー１００の制御方式を判定する方法（判定処理）について説明する。図３は、実施形態１に係る判定処理のフローを示す図である。
【００５４】
図３に示すように、照明コントローラー１００に電源が投入されると、照明コントローラー１００から照明制御装置２００へ交流電圧４０１ａが出力される（ステップＳ１）。
【００５５】
照明制御装置２００は、交流電圧４０１ａが正弦波状の半波４０２を含むか否かを判定する（ステップＳ２）。図２（ｂ）〜図２（ｅ）を参照して説明したように、照明コントローラー１００の制御方式が第１データ制御方式である場合にのみ、正弦波状の半波４０２が出力される。したがって、照明制御装置２００は、交流電圧４０１ａが正弦波状の半波４０２を含む場合（ステップＳ２のＹｅｓ）、照明コントローラー１００の制御方式は第１データ制御方式であると判定する（ステップＳ３）。
【００５６】
交流電圧４０１ａが正弦波状の半波４０２を含まない場合（ステップＳ２のＮｏ）、照明制御装置２００は、半波４０２が前欠け４１１を含むか否かを判定する（ステップＳ４）。図２（ｂ）〜図２（ｅ）を参照して説明したように、照明コントローラー１００の起動直後は、照明コントローラー１００の制御方式が正位相調光方式である場合にのみ、前欠け４１１を含む半波４０２が出力される。したがって、照明制御装置２００は、半波４０２が前欠け４１１を含む場合（ステップＳ４のＹｅｓ）、照明コントローラー１００の制御方式は正位相調光方式であると判定する（ステップＳ５）。
【００５７】
半波４０２が前欠け４１１を含まない場合（ステップＳ４のＮｏ）、照明制御装置２００は、後ろ欠け４１２の幅の割合が、予め規定された参照値以上であるか否かを判定する（ステップＳ６）。換言すると、後ろ欠け４１２を含む半波４０２の導通角が所定値未満であるか否かを判定する。参照値は、第２データ制御方式の後ろ欠け４１２の幅（図２（ｅ）参照）の割合よりも大きい値に設定する。
【００５８】
後ろ欠け４１２の幅の割合が参照値以上である場合（ステップＳ６のＹｅｓ）、照明制御装置２００は、照明コントローラー１００の制御方式は逆位相調光方式であると判定する（ステップＳ７）。後ろ欠け４１２の幅の割合が参照値以上ではない場合（ステップＳ６のＮｏ）、照明制御装置２００は、逆位相調光方式と第２データ制御方式とを判別する判別モード（状態）に遷移する（ステップＳ８）。
【００５９】
照明制御装置２００は、判別モードに遷移すると、照明コントローラー１００の制御方式が逆位相調光方式であるか第２データ制御方式であるかを判定できるまで、ステップＳ９の処理とステップＳ１０の処理とを繰り返す。
【００６０】
ステップＳ９において、照明制御装置２００は、ステップＳ６と同様に、後ろ欠け４１２の幅の割合が参照値以上であるか否かを判定する。後ろ欠け４１２の幅の割合が参照値以上である場合（ステップＳ９のＹｅｓ）、照明制御装置２００は、照明コントローラー１００の制御方式は逆位相調光方式であると判定する（ステップＳ７）。一方、後ろ欠け４１２の幅の割合が参照値以上ではない場合（ステップＳ９のＮｏ）、処理はステップＳ１０に移る。
【００６１】
ステップＳ１０において、照明制御装置２００は、半波４０２が前欠け４１１を含むか否かを判定する。換言すると、半波４０２が後ろ欠け４１２に加えて前欠け４１１を含むか否かを判定する。図２（ｄ）を参照して説明したように、逆位相調光方式の半波４０２は前欠け４１１を含まない。一方、図２（ｅ）を参照して説明したように、第２データ制御方式では、照明コントローラー１００が起動してから所定の周期以後に、前欠け４１１及び後ろ欠け４１２を含む半波４０２が出力される。したがって、半波４０２が前欠け４１１を含む場合（ステップＳ１０のＹｅｓ）、照明制御装置２００は、照明コントローラー１００の制御方式は第２データ制御方式であると判定する（ステップＳ１１）。一方、半波４０２が前欠け４１１を含まない場合（ステップＳ１０のＮｏ）、処理はステップＳ９に戻る。
【００６２】
続いて図４を参照して、照明制御装置２００の構成について説明する。図４は、照明制御装置２００の構成を示すブロック図である。図４に示すように、照明制御装置２００は、整流回路２１０と、比較回路２２０と、制御部２３０と、スイッチ部２４０とを備える。制御部２３０は記憶部２５０を含む。記憶部２５０は、正位相調光プログラム２５１と、逆位相調光プログラム２５２と、第１データ制御プログラム２５３と、第２データ制御プログラム２５４とを記憶している。
【００６３】
整流回路２１０は、照明コントローラー１００から入力された交流電圧４０１ａを整流する。整流回路２１０は、好ましくは全波整流回路を含む。比較回路２２０は、整流回路２１０の出力と閾値とを比較する。比較回路２２０は、例えば、コンパレーターを含む。比較回路２２０による比較の結果は、制御部２３０に入力される。
【００６４】
制御部２３０は、図３を参照して説明した判定処理を行う。また、制御部２３０は、照明コントローラー１００の制御方式を判定すると、その判定の結果に応じて、正位相調光プログラム２５１、逆位相調光プログラム２５２、第１データ制御プログラム２５３、及び第２データ制御プログラム２５４のうちの１つを選択する。そして、選択したプログラムに従ってスイッチ部２４０を制御する。
【００６５】
例えば、制御部２３０は、ＣＰＵ又はＭＰＵのようなプロセッサーを備える。プロセッサーは、交流電源４００から供給される交流電圧４０１を用いて、判定用パルス信号を生成する。例えば、判定用パルス信号は、交流電圧４０１のゼロクロス点の直前に立下り、そのゼロクロス点の直後に立ち上がる。
【００６６】
また、プロセッサーは、記憶部２５０に記憶されているプログラムを実行することにより、図３を参照して説明した判定処理を行う。プロセッサーは、照明コントローラー１００の制御方式を判定すると、その判定の結果に応じて、正位相調光プログラム２５１、逆位相調光プログラム２５２、第１データ制御プログラム２５３、及び第２データ制御プログラム２５４のうちのいずれか１つを記憶部２５０から読み出して実行する。この結果、プロセッサーは、正位相調光プログラム２５１、逆位相調光プログラム２５２、第１データ制御プログラム２５３、又は第２データ制御プログラム２５４に従ってスイッチ部２４０を制御する。
【００６７】
記憶部２５０は、例えば、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような半導体メモリーによって構成される。また、記憶部２５０は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）を含み得る。
【００６８】
なお、制御部２３０は、マイクロコンピューターを備えてもよい。
【００６９】
スイッチ部２４０は、交流電源４００から供給される交流電圧４０１の導通を制御する。この結果、交流電圧４０１の波形が制御されて、照明器具３００ｂに入力される。スイッチ部２４０は、例えば半導体スイッチ素子を含む。例えば、スイッチ部２４０は、ＭＯＳＦＥＴ又はバイポーラトランジスタを含み得る。
【００７０】
例えば、制御部２３０は、照明コントローラー１００の制御方式が正位相調光方式であると判定した場合、正位相調光プログラム２５１に従ってスイッチ部２４０を制御する。詳しくは、制御部２３０は、照明制御装置２００（スイッチ部２４０）の出力波形が照明コントローラー１００の出力波形（交流電圧４０１ａの波形）と同様の波形となるように、正位相調光方式によってスイッチ部２４０を制御する。
【００７１】
同様に、制御部２３０は、照明コントローラー１００の制御方式が逆位相調光方式であると判定した場合、逆位相調光プログラム２５２に従って、照明制御装置２００（スイッチ部２４０）の出力波形が照明コントローラー１００の出力波形と同様の波形となるようにスイッチ部２４０を制御する。
【００７２】
また、制御部２３０は、照明コントローラー１００の制御方式が第１データ制御方式であると判定した場合、第１データ制御プログラム２５３に従って、照明制御装置２００（スイッチ部２４０）の出力波形が照明コントローラー１００の出力波形と同様の波形となるようにスイッチ部２４０を制御する。
【００７３】
また、制御部２３０は、照明コントローラー１００の制御方式が第２データ制御方式であると判定した場合、第２データ制御プログラム２５４に従って、照明制御装置２００（スイッチ部２４０）の出力波形が照明コントローラー１００の出力波形と同様の波形となるようにスイッチ部２４０を制御する。
【００７４】
あるいは、制御部２３０は、照明コントローラー１００の制御方式が第２データ制御方式であると判定した場合、第１データ制御プログラム２５３を実行してもよい。この場合、スイッチ部２４０は、照明コントローラー１００の出力波形（交流電圧４０１ａの波形）に含まれる前欠け４１１に応じて交流電圧４０１の導通を制御する。詳しくは、照明制御装置２００（スイッチ部２４０）は、照明コントローラー１００から出力される前欠け４１１及び後ろ欠け４１２を含む半波４０２に対応して、前欠け４１１のみを含む半波４０２を出力する。一方、照明制御装置２００（スイッチ部２４０）は、照明コントローラー１００から出力される後ろ欠け４１２のみを含む半波４０２に対応して、正弦波状の半波４０２を出力する。
【００７５】
また、制御部２３０は、照明コントローラー１００の制御方式が正位相調光方式であると判定した場合、逆位相調光プログラム２５２を実行してもよい。この場合、スイッチ部２４０は、照明コントローラー１００の出力波形における各導通開始位相４１１ａに応じて交流電圧４０１の導通を遮断する。詳しくは、交流電圧４０１の各半波４０２の中央（半波４０２の絶対値が最大となる位相）を挟んで、交流電圧４０１ａの導通開始位相４１１ａと対称な位相で、交流電圧４０１の導通を遮断する。例えば、交流電圧４０１ａの導通開始位相４１１ａが４５°の場合、交流電圧４０１の導通遮断位相４１２ａは１３５°に設定される。
【００７６】
なお、制御部２３０は、図２を参照して説明した判別モードに遷移すると（ステップＳ８）、照明コントローラー１００の制御方式が逆位相調光方式であるか第２データ制御方式であるかを判定している間、逆位相調光プログラム２５２に従ってスイッチ部２４０を制御する。したがって、照明コントローラー１００の制御方式が第２データ制御方式である場合、照明コントローラー１００の制御方式を判定している間、スイッチ部２４０は、交流電圧４０１の各半波４０２が後ろ欠け４１２のみを含むように交流電圧４０１の導通を制御する。詳しくは、照明コントローラー１００の出力波形に含まれる後ろ欠け４１２に対応して交流電圧４０１の各半波４０２が後ろ欠け４１２を含むように、交流電圧４０１の導通が制御される。
【００７７】
続いて図４、図５（ａ）及び図５（ｂ）を参照して、照明コントローラー１００の制御方式を判定する処理について説明する。図５（ａ）は整流回路２１０の出力の一例を示す図であり、図５（ｂ）は比較回路２２０の出力の一例を示す図である。詳しくは、図５（ａ）は、照明コントローラー１００の制御方式が第１データ制御方式である場合に整流回路２１０から出力される電圧４２１の波形の一例を示す。図５（ｂ）は、図５（ａ）に示す電圧４２１を閾値と比較することによって比較回路２２０から出力されるパルス信号４３１を示す。
【００７８】
図５（ａ）及び図５（ｂ）に示すように、整流回路２１０によって交流電圧４０１ａが整流されると、電圧４２１が生成される。電圧４２１の波形は、交流電圧４０１ａの半波４０２に対応する半波４０２ａからなる。具体的には、電圧４２１の波形は、正弦波状の半波４０２ａと、前欠け４１１を含む半波４０２ａとからなる。
【００７９】
比較回路２２０によって電圧４２１が閾値と比較されると、パルス信号４３１が生成されて制御部２３０に入力される。本実施形態では、パルス信号４３１は、電圧４２１が閾値以上である際にＨレベルとなり、電圧４２１が閾値未満である際にＬレベルとなる。
【００８０】
具体的には、正弦波状の半波４０２ａに応じて、パルス幅Ｔ０を有するパルス４３２が生成される。また、前欠け４１１を含む半波４０２ａに応じて、パルス幅Ｔ１を有するパルス４３２が生成される。制御部２３０は、パルス幅Ｔ０を有するパルス４３２が入力されると、照明コントローラー１００の制御方式は第１データ制御方式であると判定する。パルス信号４３１のパルス幅は、例えばシステムクロックを参照して判定（取得）し得る。
【００８１】
なお、制御部２３０は、パルス信号４３１（パルス幅Ｔ０を有するパルス４３２とパルス幅Ｔ１を有するパルス４３２）に基づいてスイッチ部２４０を動作させて、交流電圧４０１の導通を制御する。この結果、照明制御装置２００（スイッチ部２４０）の出力波形が照明コントローラー１００の出力波形（交流電圧４０１ａの波形）と同様の波形となる。
【００８２】
続いて図４、図６（ａ）、図６（ｂ）、及び図７（ａ）〜図７（ｃ）を参照して、照明コントローラー１００の制御方式を判定する処理について説明する。図６（ａ）は整流回路２１０の出力の一例を示す図であり、図６（ｂ）は比較回路２２０の出力の一例を示す図である。詳しくは、図６（ａ）は、照明コントローラー１００の制御方式が正位相調光方式である場合に整流回路２１０から出力される電圧４２１の波形の一例を示す。図６（ｂ）は、図６（ａ）に示す電圧４２１を閾値と比較することによって比較回路２２０から出力されるパルス信号４３１を示す。図７（ａ）は、図６（ａ）の一部を拡大して示す図である。図７（ｂ）は、図６（ｂ）の一部を拡大して示す図である。図７（ｃ）は、判定用パルス信号５０１を示す図である。
【００８３】
図６（ａ）及び図６（ｂ）に示すように、電圧４２１の波形は、前欠け４１１を含む半波４０２ａからなる。比較回路２２０によって電圧４２１が閾値と比較されると、パルス幅Ｔ２を有するパルス４３２が生成される。図７（ａ）〜図７（ｃ）に示すように、照明コントローラー１００の制御方式が正位相調光方式である場合、パルス４３２の立ち上がりエッジは、判定用パルス信号５０１の立ち上がりエッジに対して遅延する。制御部２３０は、パルス４３２の立ち上がりエッジと判定用パルス信号５０１の立ち上がりエッジとを比較する。パルス４３２の立ち上がりエッジが判定用パルス信号５０１の立ち上がりエッジに対して遅延している場合、制御部２３０は、照明コントローラー１００の制御方式は正位相調光方式であると判定する。
【００８４】
なお、制御部２３０は、パルス信号４３１（パルス幅Ｔ２）に基づいてスイッチ部２４０を動作させて、交流電圧４０１の導通角を制御する。詳しくは、照明制御装置２００（スイッチ部２４０）の出力波形の導通開始位相を制御する。この結果、照明制御装置２００の出力波形が照明コントローラー１００の出力波形（交流電圧４０１ａの波形）と同様の波形となる。あるいは、制御部２３０は、パルス信号（パルス幅Ｔ２）に基づいて、照明制御装置２００（スイッチ部２４０）の出力波形の導通遮断位相を制御してもよい。これにより、照明コントローラー１００の制御方式が正位相調光方式である場合に、照明器具３００ｂから出射される光を逆位相調光方式によって制御することができる。
【００８５】
続いて図４、図８（ａ）及び図８（ｂ）を参照して、照明コントローラー１００の制御方式を判定する処理について説明する。図８（ａ）は整流回路２１０の出力の一例を示す図であり、図８（ｂ）は比較回路２２０の出力の一例を示す図である。詳しくは、図８（ａ）は、照明コントローラー１００の制御方式が逆位相調光方式である場合に整流回路２１０から出力される電圧４２１の波形の一例を示す。図８（ｂ）は、図８（ａ）に示す電圧４２１を閾値と比較することによって比較回路２２０から出力されるパルス信号４３１を示す。
【００８６】
図８（ａ）及び図８（ｂ）に示すように、電圧４２１の波形は、後ろ欠け４１２を含む半波４０２ａからなる。比較回路２２０によって電圧４２１が閾値と比較されると、パルス幅Ｔ３を有するパルス４３２が生成される。制御部２３０は、パルス信号４３１のＬレベル区間の幅Ｔ４を取得する。Ｌレベル区間の幅Ｔ４は、パルス信号４３１の周期Ｔと、パルス４３２のパルス幅Ｔ３との差から取得し得る。パルス信号４３１の周期Ｔは、システムクロックを参照して取得し得る。制御部２３０は、パルス信号４３１の周期Ｔに対するＬレベル区間の幅Ｔ４の割合（Ｔ４／Ｔ）が、予め規定された参照値以上であるか否かを判定する。割合（Ｔ４／Ｔ）が参照値以上である場合、制御部２３０は、照明コントローラー１００の制御方式は逆位相調光方式であると判定する。
【００８７】
なお、制御部２３０は、パルス信号４３１（パルス幅Ｔ３、Ｌレベル区間の幅Ｔ４、又は、Ｌレベル区間の幅Ｔ４の割合）に基づいてスイッチ部２４０を動作させて、交流電圧４０１の導通角を制御する。詳しくは、照明制御装置２００（スイッチ部２４０）の出力波形の導通遮断位相を制御する。この結果、照明制御装置２００の出力波形が照明コントローラー１００の出力波形（交流電圧４０１ａの波形）と同様の波形となる。
【００８８】
続いて図４、図９（ａ）、図９（ｂ）、及び図１０（ａ）〜図１０（ｃ）を参照して、照明コントローラー１００の制御方式を判定する処理について説明する。図９（ａ）は整流回路２１０の出力の一例を示す図であり、図９（ｂ）は比較回路２２０の出力の一例を示す図である。詳しくは、図９（ａ）は、照明コントローラー１００の制御方式が第２データ制御方式である場合に整流回路２１０から出力される電圧４２１の波形の一例を示す。図９（ｂ）は、図９（ａ）に示す電圧４２１を閾値と比較することによって比較回路２２０から出力されるパルス信号４３１を示す。図１０（ａ）は、図９（ａ）の一部を拡大して示す図である。図１０（ｂ）は、図９（ｂ）の一部を拡大して示す図である。図１０（ｃ）は、判定用パルス信号５０１を示す図である。
【００８９】
図９（ａ）及び図９（ｂ）に示すように、電圧４２１の波形は、後ろ欠け４１２のみを含む半波４０２ａと、前欠け４１１及び後ろ欠け４１２を含む半波４０２ａとからなる。比較回路２２０によって電圧４２１が閾値と比較されると、後ろ欠け４１２のみを含む半波４０２ａに応じて、パルス幅Ｔ５を有するパルス４３２が生成される。また、前欠け４１１及び後ろ欠け４１２を含む半波４０２ａに応じて、パルス幅Ｔ６を有するパルス４３２が生成される。
【００９０】
図１０（ａ）〜図１０（ｃ）に示すように、前欠け４１１及び後ろ欠け４１２を含む半波４０２ａが生成されると、パルス４３２の立ち上がりエッジが、判定用パルス信号５０１の立ち上がりエッジに対して遅延する。制御部２３０は、パルス４３２の立ち上がりエッジと判定用パルス信号５０１の立ち上がりエッジとを比較する。パルス４３２の立ち上がりエッジが判定用パルス信号５０１の立ち上がりエッジに対して遅延した場合、制御部２３０は、照明コントローラー１００の制御方式は第２データ制御方式であると判定する。
【００９１】
なお、制御部２３０は、パルス信号４３１（パルス幅Ｔ５を有するパルス４３２とパルス幅Ｔ６を有するパルス４３２）に基づいてスイッチ部２４０を動作させて、交流電圧４０１の導通を制御する。この結果、照明制御装置２００（スイッチ部２４０）の出力波形が照明コントローラー１００の出力波形（交流電圧４０１ａの波形）と同様の波形となる。あるいは、制御部２３０は、パルス幅Ｔ６を有するパルス４３２に基づいてスイッチ部２４０を動作させてもよい。詳しくは、照明制御装置２００（スイッチ部２４０）が、パルス幅Ｔ５を有するパルス４３２に対応して正弦波状の半波４０２を出力し、パルス幅Ｔ６を有するパルス４３２に対応して前欠け４１１のみを含む半波４０２を出力するように、交流電圧４０１の導通を制御してもよい。これにより、照明コントローラー１００の制御方式が第２データ制御方式である場合に、照明器具３００ｂから出射される光を第１データ制御方式によって制御することができる。
【００９２】
続いて図１１を参照して、スイッチ部２４０の構成について説明する。図１１は、スイッチ部２４０の構成を示す図である。図１１に示すように、スイッチ部２４０は、スイッチ素子として、第１ＮｃｈＭＯＳＦＥＴ２４１、及び第２ＮｃｈＭＯＳＦＥＴ２４２を備える。スイッチ部２４０は更に、第１ダイオード２４３及び第２ダイオード２４４を備える。
【００９３】
第１ＮｃｈＭＯＳＦＥＴ２４１のドレインは、交流電源４００に電気的に接続する。第１ＮｃｈＭＯＳＦＥＴ２４１と第２ＮｃｈＭＯＳＦＥＴ２４２とは、相補的に接続される。詳しくは、第１ＮｃｈＭＯＳＦＥＴ２４１のソースが、第２ＮｃｈＭＯＳＦＥＴ２４２のソースに電気的に接続する。第１ＮｃｈＭＯＳＦＥＴ２４１のソース、及び第２ＮｃｈＭＯＳＦＥＴ２４２のソースは、接地される。第２ＮｃｈＭＯＳＦＥＴ２４２のドレインは、照明器具３００ｂと電気的に接続する。
【００９４】
第１ダイオード２４３は、第１ＮｃｈＭＯＳＦＥＴ２４１のソース及びドレイン間に電気的に接続される。詳しくは、第１ダイオード２４３のアノードが第１ＮｃｈＭＯＳＦＥＴ２４１のソースに接続され、第１ダイオード２４３のカソードが第１ＮｃｈＭＯＳＦＥＴ２４１のドレインに接続される。
【００９５】
第２ダイオード２４４は、第２ＮｃｈＭＯＳＦＥＴ２４２のソース及びドレイン間に電気的に接続される。詳しくは、第２ダイオード２４４のアノードが第２ＮｃｈＭＯＳＦＥＴ２４２のソースに接続され、第２ダイオード２４４のカソードが第２ＮｃｈＭＯＳＦＥＴ２４２のドレインに接続される。
【００９６】
制御部２３０は、第１ＮｃｈＭＯＳＦＥＴ２４１のゲートに対して、第１ＮｃｈＭＯＳＦＥＴ２４１をターンオン及びターンオフさせるパルス状の駆動信号を出力する。また、制御部２３０は、第２ＮｃｈＭＯＳＦＥＴ２４２のゲートに対して、第２ＮｃｈＭＯＳＦＥＴ２４２をターンオン及びターンオフさせるパルス状の駆動信号を出力する。
【００９７】
詳しくは、交流電圧４０１が正の電圧を示す期間において、制御部２３０が第１ＮｃｈＭＯＳＦＥＴ２４１をターンオンすると、交流電圧４０１は第１ＮｃｈＭＯＳＦＥＴ２４１を通過する。第１ＮｃｈＭＯＳＦＥＴ２４１を通過した交流電圧４０１は、第２ダイオード２４４を経由して、照明器具３００ｂに出力される。したがって、交流電圧４０１が正の電圧を示す期間に、第１ＮｃｈＭＯＳＦＥＴ２４１のターンオン及びターンオフを制御することにより、照明器具３００ｂに伝送される交流電圧４０１の波形を切り欠くことができる。
【００９８】
一方、交流電圧４０１が負の電圧を示す期間では、交流電圧４０１は、第１ダイオード２４３を経由して、第２ＮｃｈＭＯＳＦＥＴ２４２のソースに印加される。交流電圧４０１が負の電圧を示す期間において、制御部２３０が第２ＮｃｈＭＯＳＦＥＴ２４２をターンオンすると、交流電圧４０１は第２ＮｃｈＭＯＳＦＥＴ２４２を通過する。第２ＮｃｈＭＯＳＦＥＴ２４２を通過した交流電圧４０１は、照明器具３００ｂに出力される。したがって、交流電圧４０１が負の電圧を示す期間に、第２ＮｃｈＭＯＳＦＥＴ２４２のターンオン及びターンオフを制御することにより、照明器具３００ｂに伝送される交流電圧４０１の波形を切り欠くことができる。
【００９９】
以上、実施形態１について説明した。本実施形態によれば、正位相調光方式と、逆位相調光方式と、第１データ制御方式と、第２データ制御方式とを判別することができる。したがって、照明制御装置２００に、制御方式を切り替えるためのスイッチなどを搭載する必要がない。また、本実施形態によれば、照明制御装置２００を用いて、調光と調色とを行うことができる。
【０１００】
更に、照明制御装置２００は、照明コントローラー１００の制御方式が第２データ制御方式である場合に、第１データ制御方式によって照明器具３００ｂを制御することができる。第１データ制御方式によって制御される交流電圧の波形は、第２制御方式と比べて切り欠きの数が少ないため、スイッチングノイズを低減することができる。
【０１０１】
また、照明制御装置２００は、照明コントローラー１００の制御方式が正位相調光方式である場合に、逆位相調光方式によって照明器具３００ｂを制御することができる。逆位相調光方式によって交流電圧の波形を制御すると、スイッチ素子のターンオン時の電流上昇が正位相調光方式と比べて緩やかになるため、スイッチングノイズを低減することができる。
【０１０２】
（実施形態２）
続いて図１、図２、図４〜図１０、及び図１２を参照して、実施形態２を説明する。但し、実施形態１と異なる事項を説明し、実施形態１と重複する事項についての説明は割愛する。実施形態２は、照明コントローラー１００の制御方式を判定する方法（判定処理）が実施形態１と異なる。図１２は、実施形態２に係る判定処理のフローを示す図である。照明制御装置２００（制御部２３０）は、図１２に示す判定処理を行う。
【０１０３】
図１２に示すように、照明コントローラー１００に電源が投入されると、照明コントローラー１００から照明制御装置２００へ交流電圧４０１ａが出力される（ステップＳ１１）。
【０１０４】
照明制御装置２００は、実施形態１と同様に、交流電圧４０１ａが正弦波状の半波４０２を含むか否かを判定する（ステップＳ１２）。交流電圧４０１ａが正弦波状の半波４０２を含む場合（ステップＳ１２のＹｅｓ）、照明制御装置２００は、照明コントローラー１００の制御方式は第１データ制御方式であると判定する（ステップＳ１３）。
【０１０５】
交流電圧４０１ａが正弦波状の半波４０２を含まない場合（ステップＳ１２のＮｏ）、照明制御装置２００は、半波４０２が後ろ欠け４１２を含むか否かを判定する（ステップＳ１４）。
【０１０６】
図２（ｃ）〜図２（ｅ）を参照して説明したように、後ろ欠け４１２を含まない半波４０２を出力する制御方式は、正位相調光方式、逆位相調光方式、及び第２データ制御方式のうちでは正位相調光方式のみである。したがって、半波４０２が後ろ欠け４１２を含まない場合（ステップＳ１４のＮｏ）、照明制御装置２００は、照明コントローラー１００の制御方式は正位相調光方式であると判定する（ステップＳ１５）。なお、半波４０２が後ろ欠け４１２を含むか否かは、図５〜図１０を参照して説明したパルス４３２が、判定用パルス信号５０１よりも早く立ち下がるか否かによって判定することができる。
【０１０７】
半波４０２が後ろ欠け４１２を含む場合（ステップＳ１４のＹｅｓ）、照明制御装置２００は、半波４０２が前欠け４１１を含むか否かを判定する（ステップＳ１６）。半波４０２が前欠け４１１を含む場合（ステップＳ１６のＹｅｓ）、照明制御装置２００は、照明コントローラー１００の制御方式は第２データ制御方式であると判定する（ステップＳ１７）。一方、半波４０２が前欠け４１１を含まない場合（ステップＳ１６のＮｏ）、照明制御装置２００は、照明コントローラー１００の制御方式は逆位相調光方式であると判定する（ステップＳ１８）。
【０１０８】
以上、実施形態２について説明した。実施形態２によれば、実施形態１と同様に、正位相調光方式と、逆位相調光方式と、第１データ制御方式と、第２データ制御方式とを判別することができる。
【０１０９】
（実施形態３）
続いて図１、図２、図４〜図１０、及び図１３を参照して、実施形態３を説明する。但し、実施形態１及び実施形態２と異なる事項を説明し、実施形態１及び実施形態２と重複する事項についての説明は割愛する。実施形態３は、照明コントローラー１００の制御方式を判定する方法（判定処理）が実施形態１及び実施形態２と異なる。図１３は、実施形態３に係る判定処理のフローを示す図である。照明制御装置２００（制御部２３０）は、図１３に示す判定処理を行う。
【０１１０】
図１３に示すように、照明コントローラー１００に電源が投入されると、照明コントローラー１００から照明制御装置２００へ交流電圧４０１ａが出力される（ステップＳ２１）。
【０１１１】
照明制御装置２００は、照明コントローラー１００の起動直後に照明コントローラー１００から出力される半波４０２の導通がゼロクロス点４０３から開始するか否かを判定する（ステップＳ２２）。
【０１１２】
図２（ｂ）〜図２（ｅ）に示すように、照明コントローラー１００の制御方式がデータ制御方式である場合に、半波４０２の導通がゼロクロス点４０３から開始する（図２（ｂ）及び図２（ｅ）参照）。また、照明コントローラー１００の制御方式が逆位相調光方式である場合に、半波４０２の導通がゼロクロス点４０３から開始する（図２（ｄ）参照）。一方、照明コントローラー１００の制御方式が正位相調光方式である場合、半波４０２の導通はゼロクロス点４０３から遅れて開始する（図２（ｃ）参照）。
【０１１３】
半波４０２の導通がゼロクロス点４０３から開始する場合（ステップＳ２２のＹｅｓ）、照明制御装置２００は、スロースタートが実行されているか否かを判定する（ステップＳ２３）。図２（ｃ）及び図２（ｄ）を参照して説明したように、照明コントローラー１００の制御方式が導通角制御方式である場合に、スロースタートが実行される。
【０１１４】
半波４０２の導通がゼロクロス点４０３から開始しない場合（ステップＳ２２のＮｏ）、又は、半波４０２の導通がゼロクロス点４０３から開始し（ステップＳ２２のＹｅｓ）、かつスロースタートが実行されている場合（ステップＳ２３のＹｅｓ）、処理はステップＳ２４に進む。即ち、照明制御装置２００は、半波４０２が前欠け４１１を含むか否かを判定する（ステップＳ２４）。半波４０２が前欠け４１１を含む場合（ステップＳ２４のＹｅｓ）、照明制御装置２００は、照明コントローラー１００の制御方式は正位相調光方式であると判定する（ステップＳ２５）。一方、半波４０２が前欠け４１１を含まない場合（ステップＳ２４のＮｏ）、照明制御装置２００は、照明コントローラー１００の制御方式は逆位相調光方式であると判定する（ステップＳ２６）。
【０１１５】
スロースタートが実行されていない場合（ステップＳ２３のＮｏ）、照明制御装置２００は、半波４０２が後ろ欠け４１２を含むか否かを判定する（ステップＳ２７）。半波４０２が後ろ欠け４１２を含む場合（ステップＳ２７のＹｅｓ）、照明制御装置２００は、照明コントローラー１００の制御方式は第２データ制御方式であると判定する（ステップＳ２８）。一方、半波４０２が後ろ欠け４１２を含まない場合（ステップＳ２７のＮｏ）、照明制御装置２００は、照明コントローラー１００の制御方式は第１データ制御方式であると判定する（ステップＳ２９）。
【０１１６】
以上、実施形態３について説明した。実施形態３によれば、実施形態１及び実施形態２と同様に、正位相調光方式と、逆位相調光方式と、第１データ制御方式と、第２データ制御方式とを判別することができる。
【０１１７】
なお、照明コントローラー１００の制御方式が正位相調光方式である場合に、逆位相調光方式によって照明器具３００ｂを制御する場合、図１３に示すステップＳ２４の処理は省略し得る。この場合、半波４０２の導通がゼロクロス点４０３から開始しない場合（ステップＳ２２のＮｏ）、又は、半波４０２の導通がゼロクロス点４０３から開始し（ステップＳ２２のＹｅｓ）、かつスロースタートが実行されている場合（ステップＳ２３のＹｅｓ）、照明制御装置２００は、照明コントローラー１００の制御方式は導通角制御方式であると判定し、逆位相調光プログラム２５２を実行する。
【０１１８】
（実施形態４）
続いて図１、及び図１４〜図１８を参照して、実施形態４を説明する。但し、実施形態１〜実施形態３と異なる事項を説明し、実施形態１〜実施形態３と重複する事項についての説明は割愛する。実施形態４は、正位相調光方式、逆位相調光方式、第１データ制御方式、及び第２データ制御方式に加えて、第３データ制御方式を判別できる点が実施形態１〜実施形態３と異なる。
【０１１９】
第３データ制御方式では、交流電圧の波形が、正弦波状の半波と、全体的に切り欠いた波形の半波とを含む波形に制御される。具体的には、ユーザーの操作（指令）に応じた切り欠きのパターンが設定され、設定された切り欠きのパターンに応じて、制御信号設定区間の少なくとも１つの半波の波形が、全体的に切り欠いた波形となる。例えば、正弦波状の半波は値「０」のデータを示し、全体的に切り欠いた半波は値「１」のデータを示す。
【０１２０】
図１４（ａ）は、照明コントローラー１００及び照明制御装置２００へ交流電源４００から供給される交流電圧４０１を示す図である。図１４（ｂ）は、第３データ制御方式の照明コントローラー１００から出力される交流電圧４０１ａを示す図である。詳しくは、図１４（ｂ）は、照明コントローラー１００に電源が投入された直後の交流電圧４０１ａの波形を示す。
【０１２１】
図１４（ｂ）に示すように、第３データ制御方式の照明コントローラー１００は、電源が投入されると、まず、正弦波状の半波４０２を出力する。そして、所定の周期以後に、少なくとも１つの半波４０２を全体的に切り欠く。
【０１２２】
図１５は、実施形態４に係る判定処理のフローを示す図である。図１５に示す判定処理は、ステップＳ１２及びステップＳ１３の処理を含む点で、図３に示す判定処理と異なる。
【０１２３】
図１５に示すように、照明コントローラー１００から出力される交流電圧４０１ａが正弦波状の半波４０２を含む場合（ステップＳ２のＹｅｓ）、照明制御装置２００は、交流電圧４０１ａが、所定の期間、閾値以下の電圧値を示すか否かを判定する（ステップＳ１２）。所定の期間は、交流電圧４０１の１／４周期以上の長さの期間に設定する。閾値は、全体的に切り欠いた半波４０２の電圧値以上に設定する（図１４（ｂ）参照）。
【０１２４】
交流電圧４０１ａが、所定の期間、閾値以下の電圧値を示す場合（ステップＳ１２のＹｅｓ）、照明制御装置２００は、照明コントローラー１００の制御方式は第３データ制御方式であると判定する（ステップＳ１３）。一方、交流電圧４０１ａが、所定の期間、閾値以下の電圧値を示さない場合（ステップＳ１２のＮｏ）、照明制御装置２００は、照明コントローラー１００の制御方式は第１データ制御方式であると判定する（ステップＳ３）。
【０１２５】
図１６は、実施形態４に係る照明制御装置２００の構成を示すブロック図である。図１６に示すように、実施形態４では、照明制御装置２００の記憶部２５０が第３データ制御プログラム２５５を更に記憶している。
【０１２６】
制御部２３０は、図１５を参照して説明した判定処理を行う。また、制御部２３０は、照明コントローラー１００の制御方式を判定すると、その判定の結果に応じて、正位相調光プログラム２５１、逆位相調光プログラム２５２、第１データ制御プログラム２５３、第２データ制御プログラム２５４、及び第３データ制御プログラム２５５のうちの１つを選択する。そして、選択したプログラムに従ってスイッチ部２４０を制御する。
【０１２７】
即ち、実施形態４において、制御部２３０は、照明コントローラー１００の制御方式が第３データ制御方式であると判定した場合、第３データ制御プログラム２５５に従ってスイッチ部２４０を制御する。詳しくは、制御部２３０は、照明制御装置２００（スイッチ部２４０）の出力波形が照明コントローラー１００の出力波形（交流電圧４０１ａの波形）と同様の波形となるように、第３データ制御方式によってスイッチ部２４０を制御する。
【０１２８】
続いて図１６、図１７（ａ）及び図１７（ｂ）を参照して、照明コントローラー１００の制御方式を判定する処理について説明する。図１７（ａ）は整流回路２１０の出力の一例を示す図であり、図１７（ｂ）は比較回路２２０の出力の一例を示す図である。詳しくは、図１７（ａ）は、照明コントローラー１００の制御方式が第３データ制御方式である場合に整流回路２１０から出力される電圧４２１の波形の一例を示す。図１７（ｂ）は、図１７（ａ）に示す電圧４２１を閾値と比較することによって比較回路２２０から出力されるパルス信号４３１を示す。
【０１２９】
図１７（ａ）に示すように、電圧４２１の波形は、半波４０２ａを全体的に切り欠いた区間を有する。図１７（ｂ）に示すように、正弦波状の半波４０２ａに応じて、パルス幅Ｔ０を有するパルス４３２が生成される。また、半波４０２ａを全体的に切り欠いた区間では、パルス信号４３１はＬレベルとなる。
【０１３０】
制御部２３０は、システムクロックを参照して、半波４０２ａを全体的に切り欠いた区間（パルス信号４３１のＬレベル区間）の幅Ｔ７を取得する。半波４０２ａを全体的に切り欠いた区間の幅Ｔ７は、交流電圧４０１の１／４周期以上の長さとなる。制御部２３０は、幅Ｔ７が交流電圧４０１の１／４周期以上の長さとなるか否かを判定する。幅Ｔ７が交流電圧４０１の１／４周期以上の長さとなる場合、制御部２３０は、照明コントローラー１００の制御方式は第３データ制御方式であると判定する。
【０１３１】
なお、制御部２３０は、パルス信号４３１に基づいてスイッチ部２４０を動作させて、交流電圧４０１の導通を制御する。この結果、照明制御装置２００（スイッチ部２４０）の出力波形が照明コントローラー１００の出力波形（交流電圧４０１ａの波形）と同様の波形となる。
【０１３２】
第３データ制御方式の照明器具３００ａ、３００ｂは、電源回路と照明素子とを備える。電源回路は、例えば、整流回路と、平滑回路と、定電流回路と、パルス信号生成部と、制御部とを含む。整流回路は、照明コントローラー１００又は照明制御装置２００の出力（交流電圧）を整流する。平滑回路は、整流回路の出力を平滑化する。定電流回路は、平滑回路の出力から定電流を生成する。定電流は照明素子に供給される。パルス信号生成部は、整流回路の出力からパルス信号を生成する。パルス信号は、制御部に入力される。
【０１３３】
第３データ制御方式の照明器具３００ａ、３００ｂが備える制御部は、例えば、第３データ制御用のプログラムを記憶するマイクロコンピューターを備える。第３データ制御方式では、パルス信号生成部から出力されるパルス信号の各パルスは、全体的に切り欠いた半波の有無を示す。詳しくは、各パルスのパルス幅が、全体的に切り欠いた半波の有無を示す。
【０１３４】
第３データ制御方式の照明器具３００ａ、３００ｂが備える制御部は、パルス信号生成部から出力される各パルスのパルス幅に対応するデータ列（ビット列）を生成する。データ列は、設定された切り欠きのパターンに対応する。制御部は、生成したデータ列に応じて定電流回路を動作させて、照明素子に供給する電力を制御する。
【０１３５】
続いて図１８（ａ）〜図１８（ｄ）を参照して、第３データ制御方式の照明器具３００ａによるデータ列の生成処理について説明する。なお、第３データ制御方式の照明器具３００ｂも同様にデータ列を生成するため、その説明は省略する。
【０１３６】
図１８（ａ）は、照明コントローラー１００から照明器具３００ａへ出力される交流電圧４０１ａの一例を示す図である。図１８（ｂ）は、照明器具３００ａが備える整流回路の出力の一例を示す図である。詳しくは、図１８（ｂ）は、図１８（ａ）に示す交流電圧４０１ａを整流して得られる電圧４４１を示す。図１８（ｃ）は、照明器具３００ａが備えるパルス信号生成部の出力の一例を示す図である。詳しくは、図１８（ｃ）は、図１８（ｂ）に示す電圧４４１に基づいて生成されるパルス信号４５１を示す。図１８（ｄ）は、システムクロック４６１を示す図である。
【０１３７】
図１８（ａ）に示すように、第３データ制御方式では、交流電圧４０１ａは、半波４０２を全体的に切り欠いた区間Ｌを有する。区間Ｌは、連続して切り欠く半波４０２の数が多いほど、長くなる。
【０１３８】
図１８（ｂ）に示すように、電圧４４１の波形は、正弦波状の半波４０２ｂを含む。また、電圧４４１は、半波４０２ｂを全体的に切り欠いた区間Ｌを有する。電圧４４１が閾値と比較されることにより、図１８（ｃ）に示すパルス信号４５１が生成される。本実施形態では、パルス信号４５１は、電圧４４１が閾値未満である際にＨレベルとなり、電圧４４１が閾値以上である際にＬレベルとなる。なお、閾値は、ＭＯＳＦＥＴのゲート閾値であり得る。
【０１３９】
詳しくは、正弦波状の半波４０２ｂに応じて、パルス幅Ｔ８を有するパルス４５２が生成される。また、半波４０２ｂを全体的に切り欠いた区間Ｌに対応して、パルス幅Ｔ９を有するパルス４５２が生成される。照明器具３００ａは、パルス幅Ｔ８を有するパルス４５２が生成されると、値「０」を記憶する。一方、パルス幅Ｔ９を有するパルス４５２が生成されると、値「１」を記憶する。これにより、データ列（ビット列）が記憶される。パルス４５２のパルス幅は、図１８（ｄ）に示すシステムクロック４６１を参照して取得する。
【０１４０】
図１８（ｃ）に示すように、例えば、連続する２つの半波４０２ｂを全体的に切り欠いた区間Ｌに対応するパルス４５２が生成されると、照明器具３００ａは、値「１」を連続して２つ記憶する。連続して切り欠いた半波４０２ｂ（半波４０２ａ）の数の判定には、タイマーを用いる。具体的には、タイマーは、システムクロック４６１のパルスをカウントする。照明器具３００ａは、タイマーのカウント値から、連続して切り欠いた半波４０２ｂ（半波４０２ａ）の数を判定する。
【０１４１】
なお、照明器具３００ａは、電圧４４１が閾値未満である際にＨレベルとなり、電圧４４１が閾値以上である際にＬレベルとなるパルス信号を生成してもよい。
【０１４２】
また、照明器具３００ａは、パルス幅Ｔ８を有するパルス４５２が生成されると、値「１」を記憶し、パルス幅Ｔ９を有するパルス４５２が生成されると、値「０」を記憶してもよい。
【０１４３】
以上、実施形態４について説明した。実施形態４によれば、正位相調光方式、逆位相調光方式、第１データ制御方式、及び第２データ制御方式に加えて、第３データ制御方式を判別することができる。
【０１４４】
以上、本発明の具体的な実施形態を説明したが、本発明は上記各実施形態に限定されるものではなく、上記各実施形態に種々の改変を施すことができる。
【０１４５】
例えば、本発明による実施形態では、交流電源４００として商用電源を例示したが、交流電源４００は商用電源に限定されるものではなく、自家発電機等であってもよい。
【０１４６】
また、本発明による実施形態では、スイッチ部２４０が２つのＮｃｈＭＯＳＦＥＴを備える構成について説明したが、スイッチ部２４０はこの構成に限定されない。例えば、スイッチ部２４０は、スイッチ素子として、２つのバイポーラ型トランジスタ、又は２つの絶縁ゲートバイポーラ型トランジスタ（ＩＧＢＴ）を備え得る。
【０１４７】
また、本発明による実施形態では、比較回路２２０は、整流回路２１０の出力（電圧４２１）が閾値以上である際にＨレベルとなるパルス信号４３１を生成したが、整流回路２１０の出力が閾値未満である際にＨレベルとなるパルス信号が生成されてもよい。
【０１４８】
また、本発明による実施形態では、照明制御装置２００が整流回路２１０を備える構成について説明したが、照明制御装置２００は整流回路２１０を備えなくてもよい。この場合、照明コントローラー１００の出力（交流電圧４０１ａ）が比較回路２２０に入力される。
【０１４９】
本願は、更に以下の付記を開示する。なお、以下の付記は、本発明を限定するものではない。
【０１５０】
（付記１）
照明コントローラーと照明制御装置とを備える照明システムであって、
前記照明コントローラーは、第１制御方式に含まれるいずれかの制御方式によって第１交流電圧の波形を制御し、
前記照明制御装置は、
第２交流電圧の波形を制御するスイッチ部と、
前記スイッチ部の動作を制御する制御部と
を含み、
前記制御部は、前記第１交流電圧の波形から前記照明コントローラーの制御方式を判定し、第２制御方式のうちからその判定結果に応じて選択した制御方式によって前記スイッチ部の動作を制御し、
前記第１制御方式は、少なくとも１種類の導通角制御方式と、少なくとも１種類のデータ制御方式とを含み、
前記導通角制御方式は、交流電圧の導通角を制御する制御方式であり、
前記データ制御方式は、交流電圧の少なくとも１つの半波の少なくとも一部を切り欠く制御方式である、照明システム。
【０１５１】
（付記２）
前記第１制御方式は、
前記導通角制御方式として、
交流電圧の半波の前側の導通開始位相を制御する正位相調光方式と、
交流電圧の半波の後側の導通遮断位相を制御する逆位相調光方式と
のうちの少なくとも一方を含み、
前記データ制御方式として、
制御信号設定区間において、交流電圧の少なくとも１つの半波の前側の少なくとも一部を切り欠く第１データ制御方式と、
交流電圧の半波の後側の一部を切り欠くとともに、制御信号設定区間において、少なくとも１つの前記半波の前側の少なくとも一部を切り欠く第２データ制御方式と
のうちの少なくとも一方を含む、付記１に記載の照明システム。
【０１５２】
（付記３）
前記第１制御方式は、前記データ制御方式として、前記第１データ制御方式と前記第２データ制御方式と第３データ制御方式とのうちの少なくとも１つを含み、
前記第３データ制御方式は、制御信号設定区間において、交流電圧の少なくとも１つの半波を全体的に切り欠く制御方式である、付記２に記載の照明システム。
【０１５３】
（付記４）
前記制御部は、前記第２制御方式のうちから、前記照明コントローラーの制御方式と同じ制御方式を選択する、付記１から付記３のうちのいずれか１項に記載の照明システム。
【０１５４】
（付記５）
前記制御部は、前記第１制御方式が前記第２データ制御方式であると判定すると、前記第２制御方式のうちから前記第１データ制御方式を選択する、付記２又は付記３に記載の照明システム。
【０１５５】
（付記６）
前記制御部は、前記第１制御方式が前記正位相調光方式であると判定すると、前記第２制御方式のうちから前記逆位相調光方式を選択する、付記２又は付記３に記載の照明システム。
【０１５６】
（付記７）
前記制御部は、前記第１交流電圧の波形が正弦波を含む場合、前記第１制御方式が前記第１データ制御方式であると判定する、付記２又は付記３に記載の照明システム。
【０１５７】
（付記８）
前記制御部は、前記第１交流電圧の半波が前側に切り欠きを含む場合、前記第１制御方式が前記正位相調光方式であると判定する、付記７に記載の照明システム。
【０１５８】
（付記９）
前記制御部は、前記第１交流電圧の半波が後側に切り欠きを含み、かつ、その半波の導通角が所定値よりも小さい場合、前記第１制御方式が前記逆位相調光方式であると判定する、付記２又は付記３に記載の照明システム。
【０１５９】
（付記１０）
前記制御部は、前記第１交流電圧の少なくとも１つの半波が前側及び後側に切り欠きを含む場合、前記第１制御方式が前記第２データ制御方式であると判定する、付記２又は付記３に記載の照明システム。
【０１６０】
（付記１１）
前記制御部は、前記第１交流電圧が、所定の期間、閾値以下の電圧値を示す場合、前記第１制御方式が前記第３データ制御方式であると判定する、付記３に記載の照明システム。
【０１６１】
（付記１２）
第１制御方式に含まれるいずれかの制御方式によって第１交流電圧の波形を制御する照明コントローラーに接続される照明制御装置であって、
第２交流電圧の波形を制御するスイッチ部と、
前記スイッチ部の動作を制御する制御部と
を備え、
前記制御部は、前記第１交流電圧の波形から前記照明コントローラーの制御方式を判定し、第２制御方式のうちからその判定結果に応じて選択した制御方式によって前記スイッチ部の動作を制御し、
前記第１制御方式は、少なくとも１種類の導通角制御方式と、少なくとも１種類のデータ制御方式とを含み、
前記導通角制御方式は、交流電圧の導通角を制御する制御方式であり、
前記データ制御方式は、交流電圧の少なくとも１つの半波の少なくとも一部を切り欠く制御方式である、照明制御装置。
【０１６２】
（付記１３）
照明コントローラーによって制御された後の交流電圧の波形が正弦波を含むか否かを判定するステップと、
前記交流電圧の波形が正弦波を含む場合、前記照明コントローラーの制御方式が第１データ制御方式であると判定するステップと、
前記交流電圧の半波が前側に切り欠きを含むか否かを判定するステップと、
前記交流電圧の半波が前側に切り欠きを含む場合、前記照明コントローラーの制御方式が、前記交流電圧の半波の前側の導通開始位相を制御する正位相調光方式であると判定するステップと、
前記交流電圧の半波が後側に切り欠きを含み、かつ、その半波の導通角が所定値よりも小さいか否かを判定するステップと、
前記交流電圧の半波が後側に切り欠きを含み、かつ、その半波の導通角が所定値よりも小さい場合、前記照明コントローラーの制御方式が、前記交流電圧の半波の後側の導通遮断位相を制御する逆位相調光方式であると判定するステップと、
前記交流電圧の少なくとも１つの半波が前側及び後側に切り欠きを含むか否かを判定するステップと、
前記交流電圧の少なくとも１つの半波が前側及び後側に切り欠きを含む場合、前記照明コントローラーの制御方式が第２データ制御方式であると判定するステップと
を包含し、
前記第１データ制御方式は、制御信号設定区間において、交流電圧の少なくとも１つの半波の前側の少なくとも一部を切り欠く制御方式であり、
前記第２データ制御方式は、交流電圧の半波の後側の一部を切り欠くとともに、制御信号設定区間において、少なくとも１つの前記半波の前側の少なくとも一部を切り欠く制御方式である、判定方法。
【符号の説明】
【０１６３】
１        照明システム
１００    照明コントローラー
２００    照明制御装置
２１０    整流回路
２２０    比較回路
２３０    制御部
２４０    スイッチ部
２５０    記憶部
２５１    正位相調光プログラム
２５２    逆位相調光プログラム
２５３    第１データ制御プログラム
２５４    第２データ制御プログラム
２５５    第３データ制御プログラム
【図１】
0006596384.tif 000002
【図２】
0006596384.tif 000003
【図３】
0006596384.tif 000004
【図４】
0006596384.tif 000005
【図５】
0006596384.tif 000006
【図６】
0006596384.tif 000007
【図７】
0006596384.tif 000008
【図８】
0006596384.tif 000009
【図９】
0006596384.tif 000010
【図１０】
0006596384.tif 000011
【図１１】
0006596384.tif 000012
【図１２】
0006596384.tif 000013
【図１３】
0006596384.tif 000014
【図１４】
0006596384.tif 000015
【図１５】
0006596384.tif 000016
【図１６】
0006596384.tif 000017
【図１７】
0006596384.tif 000018
【図１８】
0006596384.tif 000019